(57)【要約】【課題】故障診断プログラムを複雑にすることなく、信頼性の高いエンジン冷却装置の故障診断を行うことができる還元剤供給装置及び冷却水循環制御装置を提供する。【解決手段】還元剤を貯蔵する貯蔵タンクと、エンジンに備えられたエンジン冷却水通路に接続されるとともに貯蔵タンクに配設され、エンジン冷却水が通過可能にされたエンジン冷却水循環通路と、エンジン冷却水循環通路へのエンジン冷却水の流れを制御するための冷却水循環制御手段と、エンジンの始動を検知する始動検知部と、エンジンを冷却するためのエンジン冷却装置の故障の有無の診断を行う故障診断が終了したか否かを判別する診断終了判定部と、エンジンの始動時には冷却水循環通路へのエンジン冷却水の供給を停止しておき、エンジン冷却装置の故障診断が終了した後に、エンジン冷却水循環通路へのエンジン冷却水の供給を開始させるように冷却水循環制御手段を制御する制御部と、を備える。【選択図】図６
2009228616.tif 000002
【特許請求の範囲】
【請求項１】
エンジンから排出される排気ガス中の窒素酸化物を還元浄化するために、排気管に配設された還元触媒の排気上流側に還元剤を噴射供給するための還元剤供給装置において、
前記還元剤を貯蔵する貯蔵タンクと、
前記エンジンに備えられたエンジン冷却水通路に接続されるとともに前記貯蔵タンクに配設され、エンジン冷却水が通過可能にされたエンジン冷却水循環通路と、
前記エンジン冷却水循環通路への前記エンジン冷却水の流れを制御するための冷却水循環制御手段と、
前記エンジンの始動を検知する始動検知部と、
前記エンジンを冷却するためのエンジン冷却装置の故障の有無の診断を行う故障診断が終了したか否かを判別する診断終了判定部と、
前記エンジンの始動時には前記冷却水循環通路への前記エンジン冷却水の供給を停止しておき、前記エンジン冷却装置の故障診断が終了した後に、前記エンジン冷却水循環通路への前記エンジン冷却水の供給の停止を解除する制御部と、
を備えることを特徴とする還元剤供給装置。
【請求項２】
前記エンジン冷却水循環通路を第１のエンジン冷却水循環通路とし、前記冷却水循環制御手段を第１のエンジン冷却水循環制御手段としたときに、
前記還元剤供給装置は、前記エンジン冷却水通路又は前記第１のエンジン冷却水循環通路に接続されるとともに前記排気管に取付けられた還元剤噴射部に配設され、前記エンジン冷却水が通過可能にされた第２のエンジン冷却水循環通路と、前記第２のエンジン冷却水循環通路への前記エンジン冷却水の流れを制御するための第２の冷却水循環制御手段と、を備え、
前記制御部は、前記エンジン冷却装置の故障診断が終了した後に、前記第１及び第２の冷却水循環制御手段を制御して前記第１及び第２のエンジン冷却水循環通路への前記エンジン冷却水の供給の停止を解除することを特徴とする請求項１に記載の還元剤供給装置。
【請求項３】
エンジンに配設されたエンジン冷却水通路に接続されるとともに、前記エンジンから排出される排気ガス中の窒素酸化物を還元浄化するために用いられる還元剤を貯蔵する貯蔵タンクに配設され、前記エンジン冷却水の少なくとも一部が通過可能にされたエンジン冷却水循環通路への前記エンジン冷却水の流れを制御するための冷却水循環制御装置において、
前記エンジンの始動を検知する始動検知部と、
エンジン冷却装置による故障診断が終了したか否かを判別する診断終了判定部と、
前記エンジンの始動時には前記冷却水循環通路への前記エンジン冷却水の供給を停止しておき、前記エンジン冷却装置の故障診断が終了した後に、前記エンジン冷却水循環通路への前記エンジン冷却水の供給の停止を解除する制御部と、
を備えることを特徴とする冷却水循環制御装置。
【請求項４】
エンジンから排出される排気ガス中の窒素酸化物を還元浄化するために、排気管に配設された還元触媒の排気上流側に還元剤を噴射供給するための還元剤供給装置において、
前記還元剤を貯蔵する貯蔵タンクと、
前記エンジンに備えられたエンジン冷却水通路に接続されるとともに前記貯蔵タンクに配設され、エンジン冷却水が通過可能にされたエンジン冷却水循環通路と、
前記エンジン冷却水循環通路への前記エンジン冷却水の流れを制御するための冷却水循環制御手段と、
前記エンジンを冷却するためのエンジン冷却装置の故障の有無の診断を行う故障診断が開始されるか否かを判別する診断開始判定部と、
前記故障診断が終了したか否かを判別する診断終了判定部と、
前記故障診断の実行中には前記冷却水循環通路への前記エンジン冷却水の供給を停止しておき、前記エンジン冷却装置の故障診断が終了した後に、前記エンジン冷却水循環通路への前記エンジン冷却水の供給の停止を解除する制御部と、
を備えることを特徴とする還元剤供給装置。
【発明の詳細な説明】
【技術分野】
【０００１】
本発明は、排気浄化装置が備えられた車両に備えられる還元剤供給装置及び冷却水循環制御装置に関する。特に、還元剤の貯蔵タンクにエンジン冷却水を循環させて還元剤の温度調節を行うシステムに用いられる還元剤供給装置及び冷却水循環制御装置に関する。
【背景技術】
【０００２】
従来、ディーゼルエンジン等から排出される排気ガス中には、環境に影響を与えるおそれのある窒素酸化物（以下、「ＮＯX」と称する。）が含まれている。このＮＯXを浄化するために用いられる排気浄化装置の一態様として、排気管内に選択還元触媒を配設し、この選択還元触媒中で還元剤を用いてＮＯXの還元浄化を行うＳＣＲ（Selective Catalytic Reduction）システムが知られている。このＳＣＲシステムは、尿素水溶液等の還元剤を選択還元触媒の上流側に供給して、生成されるアンモニアを選択還元触媒に吸着させておき、流入してくる排気ガス中のＮＯXをアンモニアと反応させて、ＮＯXを還元浄化するものである。
【０００３】
このような排気浄化装置において、貯蔵タンク内に貯蔵された尿素水溶液の凍結防止又は凍結した尿素水溶液の解凍をするために、貯蔵タンクに冷却水循環配管（エンジン冷却水循環通路）が設けられた排気浄化装置が開示されている。より具体的には、図７に示すように、貯蔵タンク３０６には、エンジン３０１の冷却水通路と接続された冷却水循環配管３０８が設けられ、冷却水循環配管３０８によってエンジン３０１で加熱される冷却水の通路の一部を貯蔵タンク３０６に導いて、循環通路内を流れる冷却水の熱を循環通路の側壁を通じて尿素水溶液側に移動させて尿素水溶液を保温するようになっている（例えば、特許文献１参照）。
【０００４】
一方、エンジンの冷却水を循環させてエンジンの冷却を行うエンジン冷却装置では、エンジンの始動時等において、エンジン冷却装置を構成する温度センサやサーモスタットの故障診断が行われるようになっている。
例えば、エンジン冷却装置に備えられた温度センサの故障診断を行う診断装置として、エンジン始動から所定の計測時までのセンサ出力の変化量を算出する手段と、この変化量が所定値未満であるとき、センサに故障があると判定する手段とを備えた冷却水温度センサの診断装置が開示されている（例えば、特許文献２参照）。
【０００５】
また、エンジン冷却装置に備えられたサーモスタットの故障診断を行う診断装置として、エンジン始動時に冷却水温度検出手段によって検出又は推定された冷却水の温度と基準値とを比較することによりサーモスタットの故障を検出するサーモスタット故障検出手段を備えたエンジン冷却装置の故障検出システムが開示されている（例えば、特許文献３参照）。
【０００６】
【特許文献１】特許第３６８６６７０号  （段落［００２０］、図２）
【特許文献２】特開２０００−１３０２４２号公報  （特許請求の範囲）
【特許文献３】特開２００７−５６７２２号公報  （特許請求の範囲）
【発明の開示】
【発明が解決しようとする課題】
【０００７】
ここで、エンジン冷却装置の故障診断が行われるエンジン始動時には貯蔵タンク内の還元剤の温度が低下している場合が多く、特許文献１に記載された排気浄化装置では、エンジン始動直後に、エンジン冷却水が貯蔵タンクに通じる循環通路内を循環する場合が多いと考えられる。そのため、特許文献２や特許文献３のように、冷却水の温度をもとにして温度センサやサーモスタットの故障診断を行おうとすると、エンジン冷却水が還元剤から受ける比熱を考慮しなければ、エンジン冷却水の温度が正常に推移しているか否かの判定が困難となるおそれがある。しかしながら、エンジン冷却水が還元剤から受ける比熱を考慮して故障診断を行えるように構成しようとすると、診断プログラムが著しく複雑になるおそれがあるとともに、他のセンサ値や演算値を利用する機会が増し、誤診断につながる可能性も増えてしまう。
【０００８】
そこで、本発明の発明者らは鋭意努力し、エンジン冷却水を用いて還元剤の温度を調節する還元剤供給装置において、エンジン始動時にエンジン冷却装置の故障診断が終了するまでは貯蔵タンクへのエンジン冷却水の循環を行わないようにすることによりこのような問題を解決できることを見出し、本発明を完成させたものである。すなわち、本発明は、還元剤の比熱の影響を排除して、エンジン冷却装置の故障診断を正確に行うことができる還元剤供給装置及び冷却水循環制御装置を提供することを目的とする。
【課題を解決するための手段】
【０００９】
本発明によれば、エンジンから排出される排気ガス中の窒素酸化物を還元浄化するために、排気管に配設された還元触媒の排気上流側に還元剤を噴射供給するための還元剤供給装置であって、還元剤を貯蔵する貯蔵タンクと、エンジンに備えられたエンジン冷却水通路に接続されるとともに貯蔵タンクに配設され、エンジン冷却水が通過可能にされたエンジン冷却水循環通路と、エンジン冷却水循環通路へのエンジン冷却水の流れを制御するための冷却水循環制御手段と、エンジンの始動を検知する始動検知部と、エンジンを冷却するためのエンジン冷却装置の故障の有無の診断を行う故障診断が終了したか否かを判別する診断終了判定部と、エンジンの始動時には冷却水循環通路へのエンジン冷却水の供給を停止しておき、エンジン冷却装置の故障診断が終了した後に、エンジン冷却水循環通路へのエンジン冷却水の供給の停止を解除する制御部と、を備えることを特徴とする還元剤供給装置が提供され、上述した問題を解決することができる。
【００１０】
また、本発明の還元剤供給装置を構成するにあたり、エンジン冷却水循環通路を第１のエンジン冷却水循環通路とし、冷却水循環制御手段を第１のエンジン冷却水循環制御手段としたときに、還元剤供給装置は、エンジン冷却水通路又は第１のエンジン冷却水循環通路に接続されるとともに排気管に取付けられた還元剤噴射部に配設され、エンジン冷却水が通過可能にされた第２のエンジン冷却水循環通路と、第２のエンジン冷却水循環通路へのエンジン冷却水の流れを制御するための第２の冷却水循環制御手段と、を備え、制御部は、エンジン冷却装置の故障診断が終了した後に、第１及び第２の冷却水循環制御手段を制御して第１及び第２のエンジン冷却水循環通路へのエンジン冷却水の供給の停止を解除することが好ましい。
【００１１】
また、本発明の別の態様は、エンジンに配設されたエンジン冷却水通路に接続されるとともに、エンジンから排出される排気ガス中の窒素酸化物を還元浄化するために用いられる還元剤を貯蔵する貯蔵タンクに配設され、エンジン冷却水の少なくとも一部が通過可能にされたエンジン冷却水循環通路へのエンジン冷却水の流れを制御するための冷却水循環制御装置であって、エンジンの始動を検知する始動検知部と、エンジン冷却装置による故障診断が終了したか否かを判別する診断終了判定部と、エンジンの始動時には冷却水循環通路へのエンジン冷却水の供給を停止しておき、エンジン冷却装置の故障診断が終了した後に、エンジン冷却水循環通路へのエンジン冷却水の供給の停止を解除する制御部と、を備えることを特徴とする冷却水循環制御装置である。
【００１２】
また、本発明のさらに別の態様は、エンジンから排出される排気ガス中の窒素酸化物を還元浄化するために、排気管に配設された還元触媒の排気上流側に還元剤を噴射供給するための還元剤供給装置であって、還元剤を貯蔵する貯蔵タンクと、エンジンに備えられたエンジン冷却水通路に接続されるとともに貯蔵タンクに配設され、エンジン冷却水が通過可能にされたエンジン冷却水循環通路と、エンジン冷却水循環通路へのエンジン冷却水の流れを制御するための冷却水循環制御手段と、エンジンを冷却するためのエンジン冷却装置の故障の有無の診断を行う故障診断が開始されるか否かを判別する診断開始判定部と、故障診断が終了したか否かを判別する診断終了判定部と、故障診断の実行中には冷却水循環通路へのエンジン冷却水の供給を停止しておき、エンジン冷却装置の故障診断が終了した後に、エンジン冷却水循環通路へのエンジン冷却水の供給の停止を解除する制御部と、を備えることを特徴とする還元剤供給装置である。
【発明の効果】
【００１３】
本発明の還元剤供給装置及び冷却水循環制御装置によれば、エンジン始動後、エンジン冷却装置の故障診断が終了したことをきっかけとして、貯蔵タンク又は還元剤噴射弁側へのエンジン冷却水の循環制御が開始されるようになっている。そのため、エンジン冷却水が、貯蔵タンク内の還元剤や還元剤噴射弁から受ける比熱の影響を考慮することなく、エンジン冷却装置の故障診断を行うことができるようになる。したがって、エンジン冷却装置の故障診断プログラムを複雑化することなく、信頼性の高いエンジン冷却装置の故障診断を行うことができる。
【００１４】
さらに、本発明の還元剤供給装置及び冷却水循環制御装置によれば、エンジン始動直後に、エンジン冷却水が還元剤供給装置の昇温に使用されなくなるため、エンジン冷却水が速やかに昇温され、エンジンの暖機が速やかに行われる。
【発明を実施するための最良の形態】
【００１５】
以下、図面を参照して、本発明の還元剤供給装置及び冷却水循環制御装置に関する実施の形態について具体的に説明する。ただし、かかる実施形態は、本発明の一態様を示すものであり、この発明を限定するものではなく、本発明の範囲内で任意に変更することが可能である。
なお、それぞれの図中、同じ符号を付してあるものについては同一の部材を示しており、適宜説明が省略されている。
【００１６】
１．還元剤供給装置
図１は、本実施形態の還元剤供給装置２０が備えられた排気浄化装置１０のシステム構成の一例を示している。
排気浄化装置１０は、エンジン５に接続された排気管１１の途中に配設され、排気ガス中に含まれるＮＯXを選択的に還元するための還元触媒１３と、還元触媒１３の上流側で排気管１１内に尿素水溶液を噴射供給するための還元剤供給装置２０とを主たる要素として構成されている。この排気浄化装置１０では、排気管内に配設された還元触媒１３の上流側に噴射供給される還元剤としての尿素水溶液が排気ガスとともに還元触媒１３に流入し、当該還元触媒１３において排気ガス中に含まれるＮＯXが選択的に還元浄化される。
【００１７】
本実施形態の排気浄化装置１０に備えられた還元剤供給装置２０は、還元触媒１３の上流側で排気管１１に固定された還元剤噴射弁３１と、尿素水溶液が貯蔵された貯蔵タンク５０と、貯蔵タンク５０内の尿素水溶液を還元剤噴射弁３１に対して圧送するポンプモジュール４０と、エンジン冷却水（以下、単に「冷却水」と称する。）が通過可能にされた第１のエンジン冷却水循環通路（以下、単に「第１の冷却水循環通路」と称する。）８７及び第２のエンジン冷却水循環通路（以下、単に「第２の冷却水循環通路」と称する。）８５を備えている。
【００１８】
また、排気浄化装置１０には、還元剤供給装置１０の各要素の制御を行う制御装置（以下、「ＤＣＵ：Dosing Control Unit」と称する。）６０が備えられている。ＤＣＵ６０にはＥＣＵ（Electronic Control Unit）７０が接続されており、燃料噴射量や噴射タイミング、回転数等をはじめとするエンジンの運転状態に関する情報が書き込まれるようになっているだけでなく、排気浄化装置１０に備えられたあらゆるセンサ等の情報も書き込まれる。
なお、本実施形態では、ＥＣＵ７０とＤＣＵ６０とが別のコントロールユニットからなっているが、これらのＥＣＵ７０とＤＣＵ６０とが一つのコントロールユニットとして構成されていても構わない。
【００１９】
このうち、還元剤噴射弁３１とポンプモジュール４０とは第１の供給通路５８によって接続され、貯蔵タンク５０とポンプモジュール４０とは第２の供給通路５７によって接続されている。さらに、ポンプモジュール４０と貯蔵タンク５０とは循環通路５９によっても接続されている。
第１の供給通路５８の還元剤噴射弁３１の近傍には、還元剤噴射弁３１に流入する尿素水溶液の温度を検知するための温度センサ３３が備えられている。
【００２０】
還元剤噴射弁３１としては、例えば、通電制御により開弁のＯＮ−ＯＦＦが制御される電磁式のＯＮ−ＯＦＦ弁を使用することができる。ポンプモジュール４０から還元剤噴射弁３１に圧送される尿素水溶液は所定の圧力に維持されるようになっており、ＤＣＵ６０から送られてくる制御信号によって還元剤噴射弁３１が開かれたときに尿素水溶液が排気管内に噴射される。
この還元剤噴射弁３１のハウジングには還元剤冷却水通路３７が設けられており、エンジン冷却水を用いて還元剤噴射弁３１の冷却が行われる。この還元剤冷却水通路３７は、第２の冷却水循環通路８５の一部を構成するものであり、内部をエンジン冷却水が通過する。
【００２１】
ポンプモジュール４０はポンプ４１を備えており、貯蔵タンク５０内の尿素水溶液が第２の供給通路５７を介して汲み上げられ、第１の供給通路５８を介して還元剤噴射弁３１に向けて圧送されるようになっている。このポンプ４１は、例えば電動式のダイヤフラムポンプやギアポンプからなり、ＤＣＵ６０から送られてくる信号によってデューティ制御されるようになっている。
【００２２】
また、ポンプモジュール４０内の第１の供給通路５８には圧力センサ４３が備えられており、圧力センサ４３によって検知されるセンサ値は信号としてＤＣＵ６０に出力される。このセンサ値をもとにしてポンプ４１のフィードバック制御が行われ、第１の供給通路５８内の圧力値が所定値に維持されるように制御される。すなわち、圧力センサ４３のセンサ値が所定値よりも低下している場合には、ポンプ４１の駆動デューティは大きくなるように制御され、圧力センサ４３のセンサ値が所定値を上回っている場合には、ポンプ４１の駆動デューティは小さくなるように制御される。
なお、「ポンプの駆動デューティ」とは、ＰＷＭ（pulse width modulation）制御において、１周期当たりに占めるポンプの駆動時間の割合を意味している。
【００２３】
また、第１の供給通路５８にはメインフィルタ４７が備えられ、還元剤噴射弁３１に圧送される尿素水溶液中の異物が捕集されるようになっている。また、循環通路５９は、ポンプ４１とメインフィルタ４７との間の第１の供給通路５８から分岐するように接続され、他端が貯蔵タンク５０に接続されている。この循環通路５９の途中にはオリフィス４５が備えられている。このような循環通路５９を備えることにより、圧力センサ４３のセンサ値をもとにフィードバック制御されるポンプ４１によって尿素水溶液が圧送されている状態で、圧力センサ４３のセンサ値が所定値を上回っている場合に、尿素水溶液の一部がオリフィス４５を介して貯蔵タンク５０内に還流されるようになっている。
【００２４】
また、ポンプモジュール４０にはリバーティングバルブ７１が備えられている。このリバーティングバルブ７１は、尿素水溶液の流路を、貯蔵タンク５０からポンプモジュール４０へ向かう順方向から、ポンプモジュール４０から貯蔵タンク５０へ向かう逆方向に切り換える機能を持った切換弁である。リバーティングバルブ７１によって流路を逆方向に切り換えるとともに、ポンプ４１を駆動させることにより、ポンプモジュール４０や還元剤噴射弁３１、第１の供給通路５８、第２の供給通路５７等を含む還元剤供給系の尿素水溶液が貯蔵タンク５０に回収される。したがって、エンジン５の停止時に還元剤を貯蔵タンク内に回収しておくことにより、冷寒時等、尿素水溶液が凍結しやすい温度条件下において、還元剤供給系内での尿素水溶液の凍結が防止される。また、エンジンを長時間始動させずに放置した場合での、還元剤供給系内での尿素水溶液の結晶化も防止される。そのため、エンジン５の運転を再開したときに、詰まりによる噴射不良が生じにくくなっている。
【００２５】
また、還元剤供給装置２０の還元剤供給系の各部位にはそれぞれヒーター９２〜９７が備えられている。これらのヒーター９２〜９７は、冷寒時等において尿素水溶液が還元剤供給系内に存在する場合に、尿素水溶液が凍結して部分的に又は完全に還元剤供給系を塞いでしまい、還元剤噴射弁３１による還元剤の噴射制御を正確に行えなくなることを防ぐために備えられている。これらのヒーター９２〜９７は、ＤＣＵ６０によって通電が制御されるようになっている。例えば、尿素水溶液の温度や外気温度等をもとにして、還元剤供給系で尿素水溶液が凍結を生じるような温度条件下にあると判断されたときに加熱されるようになっている。
これらのヒーター９２〜９７についても、特に制限されるものではなく、例えば、電熱線等を使用することができる。
【００２６】
また、貯蔵タンク５０には、第１の冷却水循環通路８７が配設されている。この第１の冷却水循環通路８７は、エンジンに備えられたエンジン冷却装置１００を構成するエンジン冷却通路８６から分岐して、再びエンジン冷却通路８６に合流する。そして、エンジン冷却水が第１の冷却水循環通路８７の内部を循環することによって、貯蔵タンク５０内の還元剤が加熱あるいは保温される。エンジン５の冷却水は、例えば７０〜８０℃程度に維持されるようになっているため、このエンジン冷却水を用いて尿素水溶液が凍結しないように制御が行われる。
【００２７】
また、第１の冷却水循環通路８７から分岐する第２の冷却水循環通路８５は、途中、還元剤噴射弁３１に設けられた還元剤冷却水通路３７を介して、再び第１の冷却水循環通路８７に合流する。そして、エンジン冷却水が第２の冷却水循環通路８５の内部を循環することによって、還元剤噴射弁３１が冷却される。
【００２８】
これらの第１及び第２の冷却水循環通路８７、８７の途中には、冷却水の流れを制御するための冷却水循環制御手段としての第１の冷却水流量制御弁８３、第２の冷却水流量制御弁８１がそれぞれ配置されている。
第１の冷却水流量制御弁８３及び第２の冷却水流量制御弁８１は、例えば、通電制御によって開弁のＯＮ−ＯＦＦの制御が行われる電磁式のＯＮ−ＯＦＦ弁を用いることができる。この電磁式のＯＮ−ＯＦＦ弁は、通電するパルス電流のデューティ比を調節することによって、冷却水循環通路内を流れる冷却水の流量が調節されるものである。
【００２９】
第１の冷却水循環通路８７に備えられた第１の冷却水流量制御弁８３は、例えば、貯蔵タンク５０に備えられた温度センサ５１のセンサ値をもとに、ＤＣＵ６０によって通電制御が行われる。これによって、貯蔵タンク５０内の尿素水溶液が所定温度以上に保持される。また、第２の冷却水循環通路８７に備えられた第２の冷却水流量制御弁８１は、例えば、排気ガス温度や第１の供給通路５８に備えられた温度センサ３３のセンサ値、第２の冷却水循環通路８７に備えられた温度センサ３５のセンサ値、還元剤の噴射量、冷却水の循環量等をもとにして推定される還元剤噴射弁３１の温度をもとに、ＤＣＵ６０によって通電制御が行われる。これによって、還元剤噴射弁３１の温度が所定温度以下に保持される。
【００３０】
２．エンジン冷却装置
本発明の還元剤供給装置及び冷却水循環制御装置が備えられる車両のエンジンを冷却するためのエンジン冷却装置の構成は、冷却水を循環させてエンジンを冷却する態様のものであれば特に制限されるものではない。以下、本実施形態の還元剤供給装置が備えられた車両のエンジン５に備えられたエンジン冷却装置１００の構成例について説明する。
【００３１】
図２は、エンジン冷却装置１００が備えられたエンジン５の概略構成を示す図である。
このエンジン５は、４サイクルエンジンであり、シリンダヘッド１０２及びシリンダブロック１０３を備えて構成されている。エンジン５の内部には冷却水を循環させるためのウォータジャケット１０４が形成されている。また、エンジン５には冷却水を循環させるためのエンジン冷却通路８６が接続されている。このエンジン冷却通路８６は、ラジエータ１０５を循環する第１循環通路１０６、ヒータコア１０７を循環する第２循環通路１０８、バイパス通路１０９を循環する第３循環通路１１０を備えている。
【００３２】
第１循環通路１０６は、ラジエータ１０５、サーモスタット１１１、電動ポンプ１１２、ウォータジャケット１０４を備えている。また、第２循環通路１０８は、ヒータコア１０７、ヒータバルブ１１４、電動ポンプ１１２、ウォータジャケット１０４を備えて構成されている。また、第３循環通路１１０は、バイパス通路１０９、サーモスタット１１１、電動ポンプ１１２、ウォータジャケット１０４を備えて構成されている。各循環通路の一部には、他の循環通路と共有されている箇所があり、例えばウォータジャケット１０４は全ての循環通路に共有されている。
【００３３】
第１循環通路１０６では、電動ポンプ１１２から吐出された冷却水が、ウォータジャケット１０４、ラジエータ１０５、サーモスタット１１１の順に流れる。このうち、サーモスタット１１１は、冷却水温度が設定温度よりも高くなると作動して第１循環通路１０６に冷却水を流し、冷却水温度が低いときには第３循環通路１１０に冷却水を流すようになっている。第３循環通路１１０では、電動ポンプ１１２から吐出された冷却水が、ウォータジャケット１０４、バイパス通路１０９、サーモスタット１１１の順に流れる。
【００３４】
また、第２循環通路１０８では、電動ポンプ１１２から吐出された冷却水が、ウォータジャケット１０４、ヒータバルブ１１４、ヒータコア１０７の順に流れる。この第２循環通路１０８を流れる冷却水の流量の制御は、ヒータバルブ１１４によって行われている。
【００３５】
第１循環通路１０６及び第２循環通路１０８のエンジン５からの出口付近には、当該第１循環通路１０６及び第２循環通路１０８内を流れる冷却水の温度に応じた信号を出力する温度センサ１１３が取り付けられている。この温度センサ１１３は、バイパス通路１０９の近くに取り付けられているため、温度センサ１１３のセンサ値は、バイパス通路１０９を流れる冷却水の温度をも示している。
【００３６】
このように構成されたエンジン５には、当該エンジン５を制御するための電子制御ユニットであるＥＣＵ７０が併設されている。このＥＣＵ７０は、エンジン５の運転条件や運転者の要求に応じてエンジン５の運転状態を制御するユニットである。
【００３７】
ＥＣＵ７０には、温度センサ１１３の他、アクセル開度すなわちエンジン負荷に応じた信号を出力するアクセル開度センサ１１５、エンジン５の回転数に応じた信号を出力するクランクポジションセンサ１１６が電気配線を介して接続され、これらセンサの出力信号がＥＣＵ７０に入力されるようになっている。
一方、ＥＣＵ７０には、電動ポンプ１１２が電気配線を介して接続され、ＥＣＵ７０はこの電動ポンプ１１２を制御する。電動ポンプ１１２は、当該電動ポンプ１１２へ供給する電力を調整することにより、冷却水の吐出量すなわちエンジン冷却水通路を流れる冷却水の流量を調整することができる。また、エンジン５の運転中であっても、電動ポンプ１１２を停止することができる。
【００３８】
そして、エンジン５の冷寒始動時には、エンジン５の始動後であっても電動ポンプ１１２を停止させることにより、ウォータジャケット１０４内の冷却水の温度を速やかに上昇させることができる。これにより、エンジン５の暖機を速やかに行うことができ、燃費の向上および有害物質の排出の抑制を図ることができる。
【００３９】
３．エンジン冷却装置の故障診断方法
エンジン５に備えられた図２に示す構成のエンジン冷却装置１００におけるエンジン冷却装置の故障診断方法の態様は、冷却水の温度をもとに診断を行うものであれは特に制限されるものではない。以下、エンジン冷却装置の故障診断方法の一態様として、ＥＣＵ７０によって行われるサーモスタット１１１の故障診断方法の一例について、図２及び図３を参照しながら説明する。
【００４０】
図３は、エンジン始動後における温度センサ１１３のセンサ値の推移を示したタイムチャートである。エンジン５の始動後からＡで示される時間までは電動ポンプ１１２が停止され、Ａで示される時間から後は電動ポンプ１１２が作動している。
Ａで示される時間までは、ウォータジャケット１０４に冷却水が滞留し、当該冷却水の温度が速やかに上昇する。その後、電動ポンプ１１２が作動すると、第２循環通路１０８及び第３循環通路１１０内の冷却水であって、エンジン５の外部に滞留していた冷却水がエンジン５の内部に流れ込む。このようにしてエンジン５の内部に流れ込んだ冷却水の温度は直ぐには上昇しない。そのため、この冷却水がエンジン５を通過して温度センサ１１３に到達すると、温度センサ１１３のセンサ値が低下する。さらにその後、冷却水の温度は徐々に均一化されつつエンジン５から発生する熱により上昇する。
【００４１】
そして、電動ポンプ１１２が作動を開始してから所定時間が経過した後にサーモスタット１１１の故障検出が行われる。この所定時間は、例えば、サーモスタット１１１が正常だとしたときに、電動ポンプ１１２の作動により冷却水温度が一旦低下し、その後所定値まで上昇するのに要する時間とすることができる。この所定時間は、予め実験等により求めてＥＣＵ７０に記憶させておく。
なお、電動ポンプ１１２が作動を開始してからの所定時間に代えて、冷却水の流量の積算値が所定値となるまではサーモスタット１１１の故障検出を禁止してもよい。また、エンジン５の始動からの経過時間が所定値となるまではサーモスタット１１１の故障検出を禁止してもよい。
【００４２】
次に、本実施例におけるサーモスタットの故障検出のフローについて説明する。
図４は、サーモスタット１１１の故障診断のフローを示したフローチャートである。本ルーチンは、所定の時間毎に繰り返し実行されるが、好ましくは、エンジン５の始動時に実行される。
【００４３】
まず、ステップＳ１０１では、温度センサ１１３のセンサ値又は水温模擬カウンタが所定値以上であり、且つ電動ポンプ１１２が作動を開始してから所定時間が経過しているか否かが判定される。すなわち、サーモスタット１１１の故障検出をするための条件が成立しているか否かが判定される。
水温模擬カウンタは、エンジン５の運転状態（例えば、機関回転数及び機関負荷）及び雰囲気状態（例えば、外気温）に基づいて冷却水温度の上昇値を求め、この上昇値を積算することにより推定される冷却水温度である。
【００４４】
そして、サーモスタット１１１の故障検出は、温度センサ１１３のセンサ値又は水温模擬カウンタが所定値（例えば、７５℃）以上となったときに行われるため、この温度となっているか否かが判定される。ステップＳ１０１でＹｅｓと判定された場合にはステップＳ１０２へ進む一方、Ｎｏと判定された場合には本ルーチンを一旦終了させる。
【００４５】
ステップＳ１０２では、サーモスタット１１１の故障検出が行われる。
例えば、温度センサ１１３のセンサ値が所定値（例えば、７５℃）を超えたときに、水温模擬カウンタが温度センサ１１３のセンサ値よりも低い場合にはサーモスタット１１１は正常と判定される。一方、水温模擬カウンタが温度センサ１１３のセンサ値よりも先に所定値（例えば、７５℃）に達した場合にはサーモスタット１１１が故障していると判定される。
【００４６】
このようにして、エンジン５の始動時に電動ポンプ１１２が停止されている場合において冷却水温度が急激に上昇したとしても、サーモスタット１１１の故障検出が禁止されているので、誤検出を抑制することができる。
また、電動ポンプ１１２が作動を開始した後に冷却水温度が変動したとしても、所定期間はサーモスタット１１１の故障検出が禁止されているので、誤検出を抑制することができる。
【００４７】
４．還元剤供給装置の制御装置（ＤＣＵ）
図５は、本実施形態の排気浄化装置１０に備えられた還元剤供給装置２０を制御するためのＤＣＵ６０の構成を示している。このＤＣＵ６０は、公知の構成からなるマイクロコンピュータを中心に構成されており、図１に示す第１の冷却水流量制御弁８３及び第２の冷却水流量制御弁８１の動作制御に関する部分を機能的なブロックで表した構成例が示されている。
【００４８】
本実施形態におけるＤＣＵ６０は、ＥＣＵ７０によって行われるエンジン冷却装置の故障診断が開始されるか否かを判別する診断開始判定部（図５では「診断開始判定」と表記。）と、エンジン冷却装置の故障診断が終了したか否かを判別する診断終了判定部（図５では「診断終了判定」と表記。）と、第１の冷却水流量制御弁の開弁制御を行う第１の冷却水流量制御弁制御部（図５では「Vc1制御」と表記。）と、第２の冷却水流量制御弁の開弁制御を行う第２の冷却水流量制御弁制御部（図５では「Vc2制御」と表記。）等を主要な要素として構成されている。これらの各部は、具体的にはマイクロコンピュータ（図示せず）によるプログラムの実行によって実現されるものである。
【００４９】
このうち、第１の冷却水流量制御弁制御部は、貯蔵タンク内の還元剤が所定温度以上に維持されるように、第１の冷却水流量制御弁（Vc1）を制御して第１の冷却水循環通路内を流通するエンジン冷却水の流量を制御する部分である。例えば、第１の冷却水流量制御弁制御部は、貯蔵タンク内に備えられた温度センサのセンサ値（Ttank）をもとにして、第１の冷却水流量制御弁（Vc1）の開閉制御を行うようになっている。
【００５０】
また、第２の冷却水流量制御弁制御部は、還元剤噴射弁が熱によって損傷しないように、第２の冷却水流量制御弁（Vc2）を制御して第２の冷却水循環通路内を流通するエンジン冷却水の流量を制御する部分である。例えば、第２の冷却水流量制御弁制御部は、排気ガス温度（Tgus）及び排気ガス流量（Qgus）、還元剤噴射弁に供給される還元剤温度（Turea）及び還元剤流量（Qurea）、外気温度（Tenv）等をもとに、還元剤噴射弁温度演算部（図５では「Tudv演算」と表記。）で推定される還元剤噴射弁の温度（Tinj）をもとにして、第２の冷却水流量制御弁（Vc2）の開閉制御を行うようになっている。
【００５１】
また、診断開始判定部は、ＥＣＵ７０からの信号をもとにして、エンジン冷却装置の故障診断が開始されるか否かを判別する部分である。例えば、診断開始判定部は、エンジン冷却装置の故障診断が開始される情報をＥＣＵ７０から受け取ると、上記故障診断が開始されるまでに第１の冷却水流量制御弁及び第２の冷却水流量制御弁が閉じられるように、第１の冷却水流量制御弁制御部及び第２の冷却水流量制御弁制御部に対して、開弁を禁止する信号を出力する。
エンジン冷却装置の故障診断がエンジンの始動開始時に行われる場合には、この診断開始判定部は、エンジンの始動を検知する始動検知部（図５では「始動検知」と表記。）として置き換えることができる。
【００５２】
また、診断終了判定部は、ＥＣＵ７０からの情報をもとにして上述の故障診断が終了したか否かを判定する部分である。例えば、診断終了判定部は、エンジン冷却装置の故障診断が終了したことを示す情報をＥＣＵ７０から受け取ると、第１の冷却水流量制御弁制御部及び第２の冷却水流量制御弁制御部に対して、冷却水の循環制御を許可する信号を出力する。
【００５３】
５．エンジン冷却水の循環制御方法
次に、図１に示す本実施形態の還元剤供給装置２０に備えられたＤＣＵ６０によって行われるエンジン冷却水の循環制御の一例について、図６に示すフローを参照しつつ説明する。
【００５４】
まず、スタート後のステップＳ１では、エンジンが運転状態にある場合において、エンジン冷却装置の故障診断が開始されるか否かの判別が行われる。本実施形態の還元剤供給装置の例では、故障診断が開始されることを示す信号がＥＣＵから送信されることにより、上記の判別が行われる。このステップＳ１は、故障診断が開始されるまで繰り返される。
【００５５】
エンジン冷却装置の故障診断がエンジンの始動直後に行われるように設定されている場合には、このステップＳ１において、エンジンが始動したか否かの判別を行うようにすることもできる。エンジンが始動したか否かの判別は、例えば、エンジンのキースイッチがオンにされたことを知らせる信号が送信されてくることによって行うことができる。
【００５６】
ステップＳ１で、エンジン冷却装置の故障診断が開始される（エンジンが始動した）と判別された場合には、ステップＳ２に進んで、第１及び第２の冷却水流量制御弁の開放を禁止し、第１及び第２の冷却水循環通路内にエンジン冷却水を流通させないようにする。
【００５７】
次いで、ステップＳ３では、ＥＣＵからの信号をもとに、エンジン冷却装置の故障診断が終了したか否かの判別が行われる。このステップＳ３は、エンジン冷却装置の故障診断が終了するまで繰り返される。
【００５８】
ステップＳ３で、故障診断が終了したと判定されると、ステップＳ４に進み、第１の冷却水流量制御弁制御部及び第２の冷却水流量制御弁制御部に対して、エンジン冷却水の循環制御の開始を許可する信号を出力する。
その後、ステップＳ５に進んで、第１の冷却水流量制御弁制御部では、上述したように、第１の冷却水流量制御弁の開閉制御を行うことによって、貯蔵タンク内の還元剤が凍結しないように還元剤の温度制御が行われる。また、第２の冷却水流量制御弁制御部では、上述したように、第２の冷却水流量制御弁の開閉制御を行うことによって、還元剤噴射弁の熱損傷を防ぐべく、還元剤噴射弁の温度制御が行われる。
【００５９】
以上説明したフローチャートによるエンジン冷却水の循環制御方法であれば、エンジン冷却装置の故障診断が終了するまでは、第１及び第２の冷却水循環通路へエンジン冷却水が供給されないようになっている。したがって、エンジン冷却装置の故障診断時に、還元剤の昇温や還元剤噴射弁の冷却に用いられる熱量を考慮する必要がなくなり、故障診断プログラムを複雑にすることなく、信頼性の高いエンジン冷却装置の故障診断を行うことができる。
【００６０】
また、エンジン始動後の所定時間、エンジン冷却水が第１及び第２の冷却水循環通路に供給されることがないため、エンジン冷却水の持つ熱量が、還元剤や還元剤噴射弁に奪われることがなく、エンジンの暖機が速やかに行われる。エンジンの暖機が速やかに行われると、エンジン全体の温度分布が適正化され、エンジンの各部において潤滑油の粘度が低下し、各部の作動が円滑になる。
そのため、より多くの燃焼エネルギーが駆動力として出力され、燃費の向上が図られることになる。また、エンジンのピストン部分の作動が円滑になり、ピストン周囲のクリアランスが適正化されることにより、クランクケースへの未燃焼ガスの漏洩が抑えられるため、潤滑油が希釈されにくくなる。
【００６１】
６．応用例
本実施形態で説明した排気浄化装置の構成はあくまでも一例であり、種々の変形が可能である。例えば、図１に示す本実施形態の排気浄化装置１０では、貯蔵タンク５０に配設された第１の冷却水循環通路８７及び還元剤噴射弁３１を通過する第２の冷却水循環通路８５を備えているが、第１の冷却水循環通路及び第２の冷却水循環通路のうちのいずれか一方を備えた構成とすることもできる。このように構成する場合には、エンジン冷却装置の故障診断が行われる間、第１の冷却水流量制御弁制御部又は第２の冷却水流量制御弁制御部によって、第１の冷却水循環通路又は第２の冷却水循環通路へのエンジン冷却水の供給を禁止することによって、故障診断プログラムを複雑にすることなく、信頼性の高いエンジン冷却装置の故障診断が行われる。
【図面の簡単な説明】
【００６２】
【図１】本実施形態における排気浄化装置の構成例を示す図である。
【図２】エンジン冷却装置の構成例について説明するための図である。
【図３】サーモスタットの故障診断方法の一例を説明するためのタイムチャートである。
【図４】サーモスタットの故障診断方法の一例を説明するためのフローチャートである。
【図５】本実施形態における排気浄化装置に備えられた還元剤供給装置の制御装置（ＤＣＵ）の構成例を示すブロック図である。
【図６】エンジン冷却水の循環制御方法の一例を示すフローチャートである。
【図７】従来の還元剤供給装置の構成を説明するための図である。
【符号の説明】
【００６３】
５：エンジン、１０：排気浄化装置、１１：排気管、１３：還元触媒、２０：還元剤供給装置、３１：還元剤噴射弁、３３・３５：温度センサ、４０：ポンプモジュール、４１：ポンプ、４３：圧力センサ、４５：オリフィス、４７：メインフィルタ、５０：貯蔵タンク、５１：温度センサ、５７：第２の供給通路、５８：第１の供給通路、５９：循環経路、６０：還元剤供給装置制御装置（ＤＣＵ）、７１：リバーティングバルブ、７３：冷却水循環ポンプ、８１：第２の冷却水流量制御弁、８３：第１の冷却水流量制御弁、８５：第２のエンジン冷却水循環通路、８６：エンジン冷却通路、８７：第１のエンジン冷却水循環通路、９２・９３・９４・９５・９６・９７：ヒーター、１００：エンジン冷却装置、１１４：ヒータバルブ
【図１】
2009228616.tif 000003
【図２】
2009228616.tif 000004
【図３】
2009228616.tif 000005
【図４】
2009228616.tif 000006
【図５】
2009228616.tif 000007
【図６】
2009228616.tif 000008
【図７】
2009228616.tif 000009